(57)【特許請求の範囲】
【請求項１】
長方形の均し板（１）の上方長辺側側面の中央部に、握り棒（５）の先端を取り付けた均し具（１５）において、長方形の均し板（１）の両短辺側側面に設けた回動軸（６）に回動可能にして回動支持板（７）の中央部を軸支させ、その回動支持板（７）の両先端部に片面均し板（８、８）か、或いはブラシ（９、９）を配設したことを特徴とするグランド整備具。
【請求項２】
請求項１記載の均し具（１５）において、長方形の均し板（１）と平行にして前後に２枚の片面均し板（８、８）を設け、その均し板（１）と前後２枚の片面均し板（８、８）の短辺側側面に設けた回動軸（６，６，６，６，６、６）に下部支持板（１２、１２）を回動可能にして軸支させ、更にその回動軸（６，６．６．６．６．６）より上部に平行にして設けた連動軸（１０，１０，１０，１０，１０，１０）に上部支持板（１３、１３）を回動可能にして軸支させたことを特徴とするグランド整備具。
【発明の詳細な説明】
【技術分野】
【０００１】
本発明は、グランド、テニスコート、野球場などの地面上に出来た窪んだ場所や盛り上がった場所や荒れた場所などを削り均して整備する方法に関するものである。
【背景技術】
【０００２】
従来、広いグランド、テニスコート等の地面を整備する方法としては、木製、鉄製、アルミ製などのコートブラシ、グランドレーキ（砂ならし）などで地面上を前後動させて削って均す方法や擦らして引っ張りながら均す方法が取られている。これは荒れた地面を均し盛り上がった土砂を窪んだ場所に移し平坦にするだけの作業であるが、常にグランドは自然の影響により乾燥した硬い状態や雨による軟らかい状態など様々な状況で整備をしなければならない。面積も広く丁寧にしなければならないので、以外と時間を要する作業であり、競技はこれらの整備作業後に行われるが、競技の途中に荒れた場所を短時間で整備しなければならない場合もある。また、出願人は先に特願２００１−２４８６５８号で、レーキの前方部にローラーを取り付け、レーキで削り均した後をローラーの重量を利用した回転によって地面を削りながら圧し均す方法を提案している。
【発明の開示】
【発明が解決しようとする課題】
【０００３】
競技の前後には必ず荒れた地面の整備作業をする必要がある。それは自然にできたグランドの広範囲にわたる地面の盛り上がりや窪みを平坦に均すことによってその競技を終始安全に行うことができるようにする為である。整備が不十分な場合は競技中にボールの方向を変えたり、ボールが競技者の顔や身体等に当たって怪我をさせたり、競技中の選手や試合に大きな影響を与える場合がある。グランド整備に使用するコートブラシは細長い角材の下面に毛を植え込んだブラシであるので、地面には強くあたらずに撫でるようにして均すだけのものである。また、グランドレーキも木・鉄・アルミなどで作られた長方形の一枚の板状のものをある角度で引っ張ることによって地面上を削って均すもので、荒れた場所や固い地面を平坦にするには、その場所で前後動をする回数を多くしなければならない。
【０００４】
本発明は、上述の点に鑑みて、様々なグランド状態に対応して、短時間に比較的小さな力で効率よくグランドの地面を削りながら均して綺麗に整備が出来るようにすることを課題としたものである。
【課題を解決するための手段】
【０００５】
そこで、本発明の請求項１記載のグランド整備具（以下、本発明１と言う）は、長方形の均し板１の上方長辺側側面の中央部に、握り棒５の先端を取り付けた均し具１５において、長方形の均し板１の両短辺側側面に設けた回動軸６に回動可能にして回動支持板７の中央部を軸支させ、その回動支持板７の両先端部に片面均し板８、８か、或いはブラシ９、９を配設したことを特徴としている。
【０００６】
かかる構成により、本発明１の均し具１５の握り棒５を持って均し板１を前後動させて地面を削った場合、均し板１と回動可能にして取り付けられた前後２枚の片面均し板８、８によって同時に地面を削り均すか、或いはブラシ９，９で掃き均すことができるものである。
【０００７】
本発明の請求項２記載のグランド整備具（以下、本発明２と言う）は、請求項１記載の均し具１５において、長方形の均し板１と平行にして前後に２枚の片面均し板８、８を設け、その均し板１と前後２枚の片面均し板８、８の短辺側側面に設けた回動軸６，６，６，６，６、６に下部支持板１２、１２を回動可能にして軸支させ、更にその回動軸６，６．６．６．６．６より上部に平行にして設けた連動軸１０，１０，１０，１０，１０，１０に上部支持板１３、１３を回動可能にして軸支させたことを特徴としている。
【０００８】
かかる構成により、本発明２の均し具の握り棒５を持ち、均し板１を前後動させて地面を削った場合、均し板１と回動可能にして取り付けられた前後２枚の片面均し板８、８は同角度にして均し板１と連動して同時に地面を削り均すか、或いは前後２枚のブラシ１５によって掃き均すことが出来るものである。
【発明の効果】
【０００９】
本発明１によれば、均し具１５の握り棒５は自由に上下動するので、均し板１を前後動させて地面を削った場合、前後に間隔を開けて設けた２枚の片面均し板８、８は均し板１と連動して常に同角度で地面を幅広く削り均して平坦にすることが出来る。或いは２枚のブラシ９，９を取り付けて前後動させた場合も均し板１と連動して幅広くして掃き均すことが出来るものである。
【００１０】
本発明２によれば、均し具１５の握り棒５を持って均し板１を前後動させて地面を削った場合、均し板１の微妙に変わる角度の動きを回動可能にして取り付けた前後２枚の片面均し板８、８に同時に連動させて地面を幅広くして削り均して平坦にすることが出来る。また前後２枚のブラシ９，９を取り付けた場合も角度を連動させて幅広くして掃き均すことが出来るものである。
【発明を実施するための最良の形態】
【００１１】
均し板１の数を増やす。
【００１２】
実施の形態の一例として、図１は本発明１の斜視図を示している。長方形の均し板１の上方長辺側側面の中央部に、握り棒５の先端を取り付けた均し具１５において、長方形の均し板１の両短辺側側面に設けた回動軸６に回動可能にして回動支持板７の中央部を軸支させ、その回動支持板７の両先端部に片面均し板８、８か、或いはブラシ９、９を配設したことで構成されている。
【００１３】
本発明１は均し板１の両短辺側側面に設けた回動軸６によって回動支持板７が自由に角度を変えることが出来るので、握り棒５を持って前後動させて地面を擦らせた場合、削り具合を調整しながら削り均すことができる。そして均し板１の前後に取り付けた２枚の片面均し板８、８は同角度の状態を保ち安定して均し板１で削っている周りの地面を幅広く平均に削り均すことができる。また、握り棒５を反対側に倒して使用した場合は、間隔の開いた前後２枚の片面均し板８、８だけで平面的に広く均すことも出来る。
【００１４】
また、実施の形態の一例として、均し板１の前後に取り付けた片面均し板８、８をブラシ９、９に変えて使用した場合は、本発明１の握り棒５を持ち均し板１の角度を変えながら地面を自由に削り均した場合も、間隔を開けて取り付けたブラシ９、９で両外側から削った部分を挟むように掃き均すことが出来るものである。上記のブラシ９、９の代わりに、長方形の固定板１４の下面に貼り付けた図５で示している平面均し具１６を取り付けることも出来る。この場合は固定板１４、１４の両側面に回動支持板７の両端部を固定螺子４で固定することになる。また、前後に片面均し板８とブラシ９を別々に取り付けることも出来る。
【００１５】
実施の形態の他の一例として、図２は本発明１の均し板１の両短辺側側面に取り付けた回動軸６、６に回動可能にして設けた垂下辺３、３の先端に両面均し板２を均し板１の前方だけに取り付けたものを示している。そしてこの本発明１を引っ張りながら歩き回ったり、地面の一箇所で前後動させたりした場合、この両面均し板２は固定螺子４で取り付けてあるので、角度を変えずに均し板１の動きに連動して地面を削り均し、一回の動作で二倍の作業効果を発揮することが出来る。またこの両面均し板２の別の使用位置としては、均し板１の後方や上に乗せて使用することも出来る。
【００１６】
実施の形態の他の一例として、図３は両面均し板２の変わりにブラシ９を取り付けたものを示している。そしてブラシ９を均し具１５の上に乗せた図面である。これは均し板１だけを使った従来の使用法になるが、ブラシ９の重量が均し具１５の均し板１に加わるため、地面を押さえる力を弱くして地面を削り均すことができるものである。
【００１７】
また、ブラシ９を均し具１５の前方に下ろして使用した場合は、均し板１で削り均した後をブラシ９が掃いて均していくので、地面の状態を短時間により綺麗に整備することができる。更にブラシ９を上下両面に植え込んだものを使用すると均し板１の後方の位置でも掃き均すことが出来る。
【００１８】
実施の形態の一例として、均し具１５の大きさは長さ１７０ｃｍ×幅９０ｃｍ×高さ１０ｃｍである。均し板１と両面均し板２の材質は檜、ラワン、輸入木材などの木製やアルミで製作できる。垂下辺３の材質は、鉄、アルミ、ステンレス、木などが良い。回動軸６は鉄、ステンレスの８ｍｍのものを使っている。ブラシ９は木製の角材にナイロン、シダ毛を植え込んだもので、幅は９０ｃｍ、毛長は１０ｃｍのものを使用している。木製やアルミで製作した均し具１５は軽く人が持って整地作業するのに適している。均し板１や両面均し板２の下方長辺側側面は地面を削ったり均したりし易いように、地面と平行にやるように斜めに削ってあるので、土砂のグランドに柔らかくあたり均一に削り均すことが出来る。
【００１９】
実施の形態の一例として、図４は本発明２の斜視図を示している。請求項１記載の均し具１５において、長方形の均し板１と平行にして前後に２枚の片面均し板８、８を設け、その均し板１と前後２枚の片面均し板８、８の短辺側側面に設けた回動軸６，６，６，６，６、６に下部支持板１２、１２を回動可能にして軸支させ、更にその回動軸６，６．６．６．６．６より上部に平行にして設けた連動軸１０，１０，１０，１０，１０，１０に上部支持板１３、１３を回動可能にして軸支させたことで構成されている。
【００２０】
本発明２は均し板１と平行にした前後２枚の片面均し板８、８の両短辺側側面に設けた回動軸６，６，６，６，６，６とその回動軸６，６，６，６，６，６の上部に平行にして設けた連動軸１０，１０，１０，１０，１０，１０に回動可能にして軸支した下方支持板１２と上方支持板１３によって、平行にした状態で角度を変えることが出来るので、均し具１５の握り棒５の微妙に変えた角度は２枚の片面均し板８、８に連動されて一度の削り動作が３倍の削り力均し力となり素早く地面を平坦に均すことが出来るものである。従来の均し具１５は均し板１が一枚だけで、均し具１５の重さが軽過ぎるため、これを使用する時は均し具１５を強い力で押さえて使用している、本発明２は片面削り板８，８と６本の金属軸と上部支持板１２、下部支持板１３の重さも加わり地面に対する摩擦力が大きくなり、前後動させるだけで地面を簡単に削り均すことが出来るので、各種スポーツのグランド面を最適な状態に素早く整備することが出来るものである。
【００２１】
実施の形態の他の一例として、片面均し板８を一方側だけに取り付けて使用することも出来る。その片面均し板８は均し板１の前方の位置で使用するか、或いは後方位置で使用することが出来る。均し具１５の握り棒５を持ち均し板１の角度を自由に変えて地面を削る時、均し板１と片面均し板８の両短辺側側面の上下に平行に取り付けた回動軸６、６，６，６連動軸１０、１０，１０，１０は下部支持板１２、１２と上部支持板１３、１３によって回動可能にして設けてあるので、均し板１の微妙な角度の動きに対して片面均し板８も地面を同角度でスムーズに連動することができる。これは一回動かす毎に２回地面を削り均すのと同じことで、競技中に荒れたグランドの場所も作業効率を上げて短時間で整備することができる。
【００２２】
実施の形態の他の一例として、片面均し板８に変えてブラシ９を取り付けることも出来る。本発明２の均し具１５の握り棒５を持ち均し板１の角度を自由に変えてもブラシ９には特有の弾力性があるので、均し板１の角度に合わせて滑らかな動きをして地面を仕上げることが出来る。これはあまり荒れていない地面を引っ張りながら歩いて丁寧に均して仕上げていく時に使用するのに適している。また、前後に片面均し板６とブラシ９を別々に取り付けることも出来る。
【図面の簡単な説明】
【００２３】
【図１】本発明１の実施の形態の一例を示す斜視図である。
【図２】本発明１の実施の形態の他の一例を示す斜視図である。
【図３】本発明１の実施の形態の他の一例を示す斜視図である。
【図４】本発明２の実施の形態の一例を示す斜視図である。
【符号の説明】
【００２４】
１    均し板
２    両面均し板
３    垂下辺
４    固定螺子
５    握り棒
６    回動軸
７    回動支持板
８    片面均し板
９    ブラシ
１０    連動軸
１２    下部支持板
１３    上部支持板
１５    均し具
【要約】
【課題】
様々なグランド状態に対応して、短時間に比較的小さな力で効率よくグランドの地面を削りながら均して綺麗に整備が出来るようにすることを課題としたものである。
【解決手段】
長方形の均し板１の上方長辺側側面の中央部に、握り棒５の先端を取り付けた均し具１５の長方形の均し板１の両短辺側側面に設けた回動軸６に、回動可能にして回動支持板７の中央部を軸支させ、その回動支持板７の両先端部に片面均し板８、８か、或いはブラシ９、９を配設したことである。  
【選択図】    図１
【図１】
0003573346.tif 000002
【図２】
0003573346.tif 000003
【図３】
0003573346.tif 000004
【図４】
0003573346.tif 000005